(57)【要約】【課題】本発明においては、印刷型の酸素インジケーターにおいて、酸素インジケーター用インキ組成物あるいはインキ組成物由来の分解物が内容物側に染み出すことのない、印刷型酸素インジケーター付き包装袋を提供することを目的とする。【解決手段】基材フィルム上に印刷法によって印刷された酸素インジケーター層を有し、さらにその上にシーラント層を有する酸素インジケーターを用いた包装袋において、酸素インジケーター層とシーラント層の間に水蒸気バリア性のあるフィルムを有することを特徴とする酸素インジケーター付き包装袋である。【選択図】図１
2015140192.tif 000002
【特許請求の範囲】
【請求項１】
基材フィルム上に印刷法によって印刷された酸素インジケーター層を有し、
さらにその上にシーラント層を有する酸素インジケーターを用いた包装袋において、
酸素インジケーター層とシーラント層の間に水蒸気バリア性のあるフィルムを有することを特徴とする酸素インジケーター付き包装袋。
【請求項２】
水蒸気バリア性のあるフィルムが、
酸素透過度５０ｃｃ／ｍ２・ｄａｙ・ａｔｍ以上のポリエチレンテレフタレートフィルムであることを特徴とする請求項１に記載の酸素インジケーター付き包装袋。
【発明の詳細な説明】
【技術分野】
【０００１】
本発明は高温滅菌処理を有する用途に使用される、酸素インジケーター付き包装袋に関する。
【背景技術】
【０００２】
従来より食品、医薬・医療、電子材料などの分野で、酸素による酸化が品質を劣化させることが懸念されるような内容物に対して、酸素吸収剤を包装袋内に同梱するなどして包装袋内を無酸素状態に保ち、酸素の影響を排除することが広く行われている。
その際酸素吸収剤の能力や包装体のピンホール、シール不良などによる酸素の侵入を検知するために酸素インジケーターが包装袋に投入されている。
【０００３】
また酸素インジケーターは広く用いられている錠剤型のほか用途に応じて、インキタイプ、液状タイプ、シートタイプ、ペーパータイプなどさまざまな形態のものが開発されている。
さらに酸素吸収剤と一体化したもの、さらには包装袋を構成する包装材料と一体化させたものなども開発されている。
【０００４】
このような開発の結果、酸素インジケーターの包装袋内への投入作業の省力化や、検知の容易化、誤飲食の回避などを目的にそれぞれの用途に応じた商品設計がなされるようになっている。
インキタイプの酸素インジケーターを用いる印刷型の酸素インジケーターはそれらの課題解決を図ろうとする目的に適している。
【０００５】
また印刷型の酸素インジケーターは以下のような特徴を有する。
（１）外から見える位置に印刷できるため、酸素インジケーターを探すことなく目視で容易に確認できる。
（２）包材に直接印刷されているので入れ忘れることがない。
（３）内容物と混同する恐れがなく誤飲の危険性がない。
（４）開封後の分別廃棄などの必要がない。
（５）充填時の設備増設の必要がない。
（６）充填時、位置がずれてシール部へまきこまれるなどの不良が防げる。
（７）充填時、錠剤型に比べて充填効率改善ができる。
【０００６】
実際に印刷型の酸素インジケーターが利用される例としては以下の事例がある。
医薬・医療分野において輸液バックに用いられる一次容器は体内に直接薬剤を注入することから無添加のプラスチック容器が用いられることが多く、また酸素バリア性がない輸液バックに充填された薬剤は大気中の酸素で変質する恐れがある。
【０００７】
そのため近年輸液バックを酸素バリア性の高い包装材料で二次包装し、酸素吸収剤を同梱することが行われている。
その際に酸素吸収剤の能力や包装体のピンホール、シール不良などによる酸素の侵入を検知するために酸素インジケーターが用いられることが多いが、錠剤型の場合には個々に投入する手間が必要であるため、省力化や検知の容易化を目的として印刷型のものが開発されている。
【０００８】
なお印刷型の酸素インジケーターを包装袋に加工する場合には、基材上に設けられた酸素インジケーター層の上にシーラント層を設け、シーラント層同士が接触するように重ね
合わせて、加熱・加圧により製袋加工を行う。
【０００９】
輸液バックのような場合には高温滅菌処理が必要とされインジケーター機能を付与した二次容器においても高温滅菌処理に対する適性が求められる。
他にも高温滅菌処理が必要とされる用途の場合には、インジケーター機能を付与した包装袋において高温滅菌処理に対する適性が求められる。
【００１０】
しかしながら高温滅菌処理（１２１℃・２０分）を施した場合、酸素インジケーター用インキ組成物は熱に弱いことから、シーラント層を通過して包装袋内部まで染み出してしまうことがあるり、それにより充填された内容物を汚染してしまう恐れがあった。
【先行技術文献】
【特許文献】
【００１１】
【特許文献１】特開２００７−１４７２９７号公報
【発明の概要】
【発明が解決しようとする課題】
【００１２】
本発明においては、印刷型の酸素インジケーターにおいて、酸素インジケーター用インキ組成物あるいはインキ組成物由来の分解物が内容物側に染み出すことのない、印刷型酸素インジケーター付き包装袋を提供することを目的とする。
【課題を解決するための手段】
【００１３】
上記の課題を解決するための手段として、請求項１に記載の発明は、基材フィルム上に印刷法によって印刷された酸素インジケーター層を有し、さらにその上にシーラント層を有する酸素インジケーターを用いた包装袋において、酸素インジケーター層とシーラント層の間に水蒸気バリア性のあるフィルムを有することを特徴とする酸素インジケーター付き包装袋である。
【００１４】
また、請求項２に記載の発明は、水蒸気バリア性のあるフィルムが、酸素透過度５０ｃｃ／ｍ２・ｄａｙ・ａｔｍ以上のポリエチレンテレフタレートフィルムであることを特徴とする請求項１に記載の酸素インジケーター付き包装袋である。
【発明の効果】
【００１５】
本発明によって、印刷型の酸素インジケーターにおいて、酸素インジケーター用インキ組成物あるいはインキ組成物由来の分解物が内容物側に染み出すことのない、印刷型酸素インジケーター付き包装袋を提供することが可能となる。
【図面の簡単な説明】
【００１６】
【図１】図１は本発明に係る一実施態様を示す部分断面模式図である。
【発明を実施するための形態】
【００１７】
本発明を実施するための形態について、図１を参照しながら詳細に説明する。
【００１８】
基材フィルム（１）は、ガスバリア性フィルム、あるいはガスバリア性フィルムとプラスチックフィルムを貼り合せたものを用いる。
【００１９】
例えば、ガスバリアフィルムとして無機化合物を蒸着およびコーティングした高分子フィルムを用いることができる。
高分子フィルムは高分子樹脂組成物からなるフィルムであって、ポリオレフィン（ポリエチレン、ポリプロピレン等）、ポリエステル（ポリエチレンテレフタレート、ポリブチレ
ンテレフタレート、ポリエチレンナフタレート等）、ポリアミド（ナイロンー６、ナイロンー６６等）、ポリイミドなどが使用でき、用途に応じて適宜選択される。
特にポリプロピレン、ポリエチレンテレフタレートを高分子フィルムとして用いる場合は、フィルム強度と価格においてより好ましい。
【００２０】
蒸着法による無機化合物層を形成する方法としては，ＳｉＯやＡｌＯなどの無機化合物を蒸着法を用いて高分子フィルム上に蒸着法による無機化合物層を形成することができる。
また水溶性高分子と、（Ａ）一種以上のアルコキシドまたはその加水分解物、または両者、あるいは（Ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を蒸着法による無機化合物層に重ねて形成しバリア層とすることができる。
【００２１】
ガスバリアフィルムに貼り合わせるプラスチックフィルムは用途に応じて必要とされる物性を有したものを選択的に用いることができる。
耐衝撃強度や耐突き刺し性を付与するために、延伸ポリプロピレンフィルム、延伸ナイロンフィルムなどを積層して基材フィルム（１）として用いることができる。
これらのフィルムの積層にはドライラミネーションなどの接着剤によるラミネートを用いることができる。
【００２２】
基材フィルムは（１）、包材外側（７）から酸素インジケーター層（５）の色相の変化を確認する必要があるために、目視において透明性の良好な材料を用いることが好ましい。
【００２３】
基材フィルム（１）の包材外側（７）になる面とは反対側の面に、酸素インジケーター層（５）を印刷法を用いて設ける。
印刷法には、グラビア印刷、オフセット印刷、シルクスクリーン印刷など既存の印刷法を用いることができる。
【００２４】
酸素インジケーター層（５）を設けるために用いる印刷用のインキ組成は、酸化還元色素として例えばメチレンブルー、還元剤として例えばＬアスコルビンサン、そのほかバインダー樹脂、グリセリン、合成シリカ、水、メタノール、などの成分を混合して用いることができる。
【００２５】
酸素インジケーター層（５）の上から、接着剤層（２）を介してポリエチレンテレフタレートフィルム（３）を貼りあわせる。
ポリエチレンテレフタレートフィルムは水蒸気に対してバリア性を持つため、高温滅菌処理において、酸素インジケーター層（５）から酸素インジケーター用インキ組成物あるいはインキ組成物由来の分解物が内容物側に染み出すことを防止することができる。
同時に、酸素インジケーターとしての機能を発現するためには、酸素が透過する必要がありその透過度は５０ｃｃ／ｍ２・ｄａｙ・ａｔｍ以上であることがより望ましい。
【００２６】
この要求を満たすことのできるフィルムにはポリエチレンテレフタレートフィルムがある。
たとえば、延伸ナイロンフィルムの場合には酸素の透過度が満足したとしても吸水性があるために高温滅菌処理において吸水してしまい、水蒸気に対するバリア性の点で難がある。
【００２７】
また、延伸ポリプロピレンフィルムにおいては、耐熱性がポリエチレンテレフタレート
フィルムに比べて劣るために、高温滅菌処理が必要な用途においては、ポリエチレンテレフタレートフィルムを用いることがより望ましい。
【００２８】
ポリエチレンテレフタレートフィルム（３）の包材内側（６）の面にシーラント層（４）を設ける。
シーラント層（４）は押し出し機などを用いてポリプロピレンまたはポリエチレンなどの樹脂層を設けることができる。
こうして得られた酸素インジケーター（１０）は、シーラント層（４）同士を重ね合わせ、シール部に加熱・加圧を行い包装袋を製造することができる。
【実施例】
【００２９】
＜実施例１＞
（基材フィルム）
基材フィルムには、ポリエチレンテレフタレートフィルムに無機化合物を真空蒸着したフィルムをバリアフィルムとして用い、延伸ナイロンフィルム、延伸ポリプロピレンフィルムを包材外側に向かってこの順にラミネートした。
（酸素インジケーター層）
バリアフィルムの反対の面には印刷法を用いて酸素インジケーターを印刷した。
酸素インジケーター層を形成するためのインキ組成は、メチレンブルー、Ｌアスコルビンサン、そのほかバインダー樹脂、グリセリン、合成シリカ、水、メタノール、を配合し混合して用いた。
（ポリエチレンテレフタレート層）
ポリエチレンテレフタレートフィルムを接着剤を用いて酸素インジケーター層の上に貼りあわせる。
このとき用いたポリエチレンテレフタレートフィルムは、東洋紡社製Ｅ５２００、厚さ１２μｍ、酸素透過度６９ｃｃ／ｍ２・ｄａｙ・ａｔｍのものを使用した。
（シーラント層）
押し出し機を用いて、ポリプロピレン層を形成した。
（製袋加工）
シーラント層同士を重ね合わせ、シール部分の加熱・加圧により包装袋を製造した。
【００３０】
＜比較例１＞
ポリエチレンテレフタレート層を設けない以外は実施例１と同様である。
（基材フィルム）
基材フィルムには、ポリエチレンテレフタレートフィルムに無機化合物を真空蒸着したフィルムをバリアフィルムとして用い、延伸ナイロンフィルム、延伸ポリプロピレンフィルムを包材外側に向かってこの順にラミネートした。
（酸素インジケーター層）
バリアフィルムの反対の面には印刷法を用いて酸素インジケーターを印刷した。
酸素インジケーター層を形成するためのインキ組成は、メチレンブルー、Ｌアスコルビンサン、そのほかバインダー樹脂、グリセリン、合成シリカ、水、メタノール、を配合し混合して用いた。
（ポリエチレンテレフタレート層）
比較例１においてはこの層は設けない。
（シーラント層）
押し出し機を用いて、ポリプロピレン層を形成した。
（製袋加工）
シーラント層同士を重ね合わせ、シール部分の加熱・加圧により包装袋を製造した。
【００３１】
＜評価＞
実施例１、比較例１の包装袋各２０袋に対し、１２１℃・２０分の高温滅菌処理を行い、酸素インジケーターインキ（色素）の染み出しを高温滅菌処理の直後に観察した。
また高温滅菌処理をしたサンプルを長期にわたり保存して、９日後、１４日後に経時での染み出しの観察した。
結果を表１に示す。
【００３２】
【表１】
2015140192.tif 000003
表１の結果から、実施例１においては、高温滅菌処理直後および経時での酸素インジケーターインキの染み出しは観察されなかった。
反対に比較例１においてはすべてのサンプルにおいて高温滅菌処理直後および経時において酸素インジケーターインキの染み出しが観察された。
【００３３】
上記の結果から本発明によって、印刷型の酸素インジケーターにおいて、酸素インジケーター用インキ組成物あるいはインキ組成物由来の分解物が内容物側に染み出すことのない、印刷型酸素インジケーター付き包装袋を実現することが可能であることが検証された。
【符号の説明】
【００３４】
１・・・基材フィルム
２・・・接着剤層
３・・・ポリエチレンテレフタレートフィルム
４・・・シーラント層
５・・・酸素インジケーター層
６・・・包材内側
７・・・包材外側
１０・・・酸素インジケーター
【図１】
2015140192.tif 000004